(57)【要約】【課題】  ケーブルの共通化が図れ、生産性が良く、安価なアンテナ装置を提供する。【解決手段】  本発明のアンテナ装置において、ケース１は、ケーブル１２をケース１外に導出するための導出口２ｂ、３ｂを有すると共に、導出口２ｂ、３ｂに対するアンテナ本体部５におけるケーブル取付部Ｔの配設位置を変更して、ケース１内におけるケーブル１２の長さを変更できるように、アンテナ本体部５は、ケース１に対して取付位置を変更可能としたため、ケース１内でのケーブル１２の収納長さを変更できて、ケース１からコネクタ１３までのケーブル１２の長さが変更できるようになり、従って、１本のケーブル１２で種々の電子機器に対応することができて、ケーブル１２の共通化が図れ、生産性が良く、安価なものが得られる。【選択図】        図４
2005175829.tif 000002
【特許請求の範囲】
【請求項１】
一面側にアンテナ素子が設けられた回路基板、及び所望の電気回路を形成するために、前記回路基板の他面側に搭載された電子部品を有したアンテナ本体部と、このアンテナ本体部を内部に収納するケースと、前記アンテナ本体部に取り付けられ、前記ケース外に導出されたケーブルとを備え、前記ケースは、前記ケーブルを前記ケース外に導出するための導出口を有すると共に、前記導出口に対する前記アンテナ本体部におけるケーブル取付部の配設位置を変更して、前記ケース内における前記ケーブルの長さを変更できるように、前記アンテナ本体部は、前記ケースに対して取付位置を変更可能としたことを特徴とするアンテナ装置。
【請求項２】
前記ケーブル取付部と前記導出口が非対向状態の位置で、前記アンテナ本体部が前記ケースに取り付けられたことを特徴とする請求項１記載のアンテナ装置。
【請求項３】
前記アンテナ本体部は、前記電子部品を覆った状態で、前記回路基板の前記他面側に取り付けられたシールドカバーを有し、このシールドカバーに設けられた孔を通って前記シールドカバー外に導出された前記ケーブルは、前記シールドカバーの外周部に配設可能としたことを特徴とする請求項１、又は２記載のアンテナ装置。
【請求項４】
前記回路基板は、前記ケースに対して取付位置が変更可能なように、前記ケースにネジ止めされたことを特徴とする請求項１から３の何れかに記載のアンテナ装置。
【請求項５】
前記回路基板には、凹部が設けられると共に、前記ケースには、前記凹部に嵌合する凸部が設けられ、前記回路基板は、前記ケースに対して取付位置が変更可能なように、前記凹部と前記凸部を嵌合して取り付けられたことを特徴とする請求項１から３の何れかに記載のアンテナ装置。
【請求項６】
前記ケースは、前記アンテナ本体部を収納するための凹状の収納部を有し、前記回路基板の端面、又は／及び前記シールドカバーの側面が前記収納部の内壁面に当接して位置決め可能となし、前記回路基板は、前記収納部の前記内壁面に対して前記回路基板の端面、又は／及び前記シールドカバーの側面の当接位置を変更可能な状態で、前記ケースに取り付けられたことを特徴とする請求項３記載のアンテナ装置。
【発明の詳細な説明】
【技術分野】
【０００１】
本発明はＧＰＳアンテナ等に適用して好適なアンテナ装置に関する。
【背景技術】
【０００２】
図８は、従来のアンテナ装置の要部断面図を示し、この図８に基づいて従来のアンテナ装置の構成を説明すると、合成樹脂材からなるケース５１は、上下に２分割された上ケース５２と、下ケース５３とで構成されている。
【０００３】
この上ケース５２は、下面中央部に設けられた凹状の収納部５２ａと、前方部に設けられた導出口５２ｂを有し、また、下ケース５３は、上面中央部に設けられた凹状の収納部５３ａと、前方部に設けられた導出口５３ｂを有する。
この上、下ケース５２，５３は、収納部５２ａ、５３ａと導出口５２ｂ、５３ｂが合わされた状態で、両者が適宜手段によって結合されて、ケース５１が構成されている。
【０００４】
アンテナ本体部５４は、回路基板５５と、この回路基板５５の一面側に配置されたパッチ型のアンテナ素子５６と、回路基板５５の他面側に配置され、所望の電気回路を形成する電子部品５７と、この電子部品５７を覆うように、回路基板５５の他面側に取り付けられたシールドカバー５８とで構成され、このアンテナ本体部５４は、ケース５１の収納部５２ａ、５３ａ内に収納されている。
【０００５】
ゴム等の弾性材からなるパッキン材５９は、上、下ケース５２，５３の合わせ部に介在されて、ケース５１内を密封している。
また、ケーブル６０の一端側には、電子機器に接続されるコネクタ６１が接続されると共に、ケーブル６０の他端側は、パッキン材５９に保持された状態でケース５１内に挿入され、ケーブル６０の芯線６０ａが電気回路に接続されて、従来のアンテナ装置が形成されている。（例えば、特許文献１参照）
【０００６】
しかし、このような従来のアンテナ装置は、種々の電子機器に対応するために、長さの異なる種々のケーブル６０が用意され、異なる電子機器毎に、長さの異なるケーブル６０をアンテナ本体部５４に接続するものであった。
このため、長さの異なる種々のケーブル６０を必要として、ケーブル６０の共通化が図れず、生産性が悪くなるばかりか、コスト高になる。
【０００７】
【特許文献１】特開平９−１６７９０８号公報
【発明の開示】
【発明が解決しようとする課題】
【０００８】
従来のアンテナ装置は、種々の電子機器に対応するために、長さの異なる種々のケーブル６０が用意され、異なる電子機器毎に、長さの異なるケーブル６０をアンテナ本体部５４に接続するものであるため、長さの異なる種々のケーブル６０を必要として、ケーブル６０の共通化が図れず、生産性が悪くなるばかりか、コスト高になるという問題がある。
【０００９】
そこで、本発明はケーブルの共通化が図れ、生産性が良く、安価なアンテナ装置を提供することを目的とする。
【課題を解決するための手段】
【００１０】
上記課題を解決するための第１の解決手段として、一面側にアンテナ素子が設けられた回路基板、及び所望の電気回路を形成するために、前記回路基板の他面側に搭載された電子部品を有したアンテナ本体部と、このアンテナ本体部を内部に収納するケースと、前記アンテナ本体部に取り付けられ、前記ケース外に導出されたケーブルとを備え、前記ケースは、前記ケーブルを前記ケース外に導出するための導出口を有すると共に、前記導出口に対する前記アンテナ本体部におけるケーブル取付部の配設位置を変更して、前記ケース内における前記ケーブルの長さを変更できるように、前記アンテナ本体部は、前記ケースに対して取付位置を変更可能とした構成とした。
【００１１】
また、第２の解決手段として、前記ケーブル取付部と前記導出口が非対向状態の位置で、前記アンテナ本体部が前記ケースに取り付けられた構成とした。
また、第３の解決手段として、前記アンテナ本体部は、前記電子部品を覆った状態で、前記回路基板の前記他面側に取り付けられたシールドカバーを有し、このシールドカバーに設けられた孔を通って前記シールドカバー外に導出された前記ケーブルは、前記シールドカバーの外周部に配設可能とした構成とした。
【００１２】
また、第４の解決手段として、前記回路基板は、前記ケースに対して取付位置が変更可能なように、前記ケースにネジ止めされた構成とした。
また、第５の解決手段として、前記回路基板には、凹部が設けられると共に、前記ケースには、前記凹部に嵌合する凸部が設けられ、前記回路基板は、前記ケースに対して取付位置が変更可能なように、前記凹部と前記凸部を嵌合して取り付けられた構成とした。
【００１３】
また、第６の解決手段として、前記ケースは、前記アンテナ本体部を収納するための凹状の収納部を有し、前記回路基板の端面、又は／及び前記シールドカバーの側面が前記収納部の内壁面に当接して位置決め可能となし、前記回路基板は、前記収納部の前記内壁面に対して前記回路基板の端面、又は／及び前記シールドカバーの側面の当接位置を変更可能な状態で、前記ケースに取り付けられた構成とした。
【発明の効果】
【００１４】
本発明のアンテナ装置は、一面側にアンテナ素子が設けられた回路基板、及び所望の電気回路を形成するために、回路基板の他面側に搭載された電子部品を有したアンテナ本体部と、このアンテナ本体部を内部に収納するケースと、アンテナ本体部に取り付けられ、ケース外に導出されたケーブルとを備え、ケースは、ケーブルをケース外に導出するための導出口を有すると共に、導出口に対するアンテナ本体部におけるケーブル取付部の配設位置を変更して、ケース内におけるケーブルの長さを変更できるように、アンテナ本体部は、ケースに対して取付位置を変更可能とした構成とした。
このように、アンテナ本体部は、ケースに対して取付位置を変更可能にすると、ケース内でのケーブルの収納長さを変更できて、ケースからコネクタまでのケーブルの長さが変更できるようになり、従って、１本のケーブルで種々の電子機器に対応することができて、ケーブルの共通化が図れ、生産性が良く、安価なものが得られる。
【００１５】
また、ケーブル取付部と導出口が非対向状態の位置で、アンテナ本体部がケースに取り付けられたため、ケースからコネクタまでのケーブルの長さを容易に短くすることができる。
【００１６】
また、アンテナ本体部は、電子部品を覆った状態で、回路基板の他面側に取り付けられたシールドカバーを有し、このシールドカバーに設けられた孔を通ってシールドカバー外に導出されたケーブルは、シールドカバーの外周部に配設可能としたため、ケース内でのケーブルの保持が安定すると共に、ケース内でのケーブルの引き回が容易にできる。
【００１７】
また、回路基板は、ケースに対して取付位置が変更可能なように、ケースにネジ止めされたため、ケースへの回路基板の取付が簡単で、強固なものが得られる。
【００１８】
また、回路基板には、凹部が設けられると共に、ケースには、凹部に嵌合する凸部が設けられ、回路基板は、ケースに対して取付位置が変更可能なように、凹部と凸部を嵌合して取り付けられたため、回路基板の取付が簡単で、組立性の良好なものが得られる。
【００１９】
また、ケースは、アンテナ本体部を収納するための凹状の収納部を有し、回路基板の端面、又は／及びシールドカバーの側面が収納部の内壁面に当接して位置決め可能となし、回路基板は、収納部の内壁面に対して回路基板の端面、又は／及びシールドカバーの側面の当接位置を変更可能な状態で、ケースに取り付けられたため、回路基板の取付が簡単で、組立性の良好なものが得られる。
【発明を実施するための最良の形態】
【００２０】
本発明のアンテナ装置の図面を説明すると、図１は本発明のアンテナ装置の第１実施例に係る要部断面図、図２は本発明のアンテナ装置の第１実施例に係り、下ケースを取り去った状態を示す下面図、図３は本発明のアンテナ装置の第１実施例に係る上ケースの下面図である。
【００２１】
また、図４は本発明のアンテナ装置の第１実施例に係り、下ケースを取り去った状態で、且つ、アンテナ本体部の取付位置を変更した状態を示す下面図、図５は本発明のアンテナ装置の第２実施例に係る要部断面図、図６は本発明のアンテナ装置の第２実施例に係る上ケースの下面図、図７は本発明のアンテナ装置の第２実施例に係り、下ケースを取り去った状態で、且つ、アンテナ本体部の取付位置を変更した状態を示す下面図である。
【００２２】
次に、本発明のアンテナ装置の第１実施例の構成を図１〜図４に基づいて説明すると、合成樹脂材からなるケース１は、上下に２分割された上ケース２と、下ケース３とで構成されている。
【００２３】
この上ケース２は、下面中央部に設けられた凹状の収納部２ａと、前方部に設けられた導出口２ｂと、収納部２ａ内に設けられた複数の突起部２ｃと、この突起部２ａの先端部に設けられたネジ用の孔２ｄを有し、また、下ケース３は、上面中央部に設けられた凹状の収納部３ａと、前方部に設けられた導出口３ｂを有する。
【００２４】
この上、下ケース２，３は、収納部２ａ、３ａと導出口２ｂ、３ｂが合わされた状態で、両者がネジ４等の固定手段によって結合されて、ケース１が構成されている。
【００２５】
アンテナ本体部５は、回路基板６と、この回路基板６の一面側に配置され、誘電体７上に設けられたパッチ型のアンテナ素子８と、回路基板６の他面側に配置され、所望の電気回路を形成する電子部品９と、この電子部品９を覆った状態で、回路基板６の他面側に取り付けられたシールドカバー１０とで構成されている。
【００２６】
また、回路基板６には、孔等からなる複数の凹部６ａを有すると共に、このような構成を有するアンテナ本体部５は、ケース１の収納部２ａ、３ａ内に収納され、回路基板６が突起部２ｃの先端部に当接された状態で、ネジ１４が回路基板６の凹部６ａ側から突起部２ｃの孔２ｄにネジ込まれて、上ケース２に取り付けられている。
【００２７】
この時、誘電体７とアンテナ素子８は、上ケース２の収納部２ａ内に位置すると共に、回路基板６とシールドカバー１０は、下ケース３の収納部３ａ内に位置した状態となっている。
【００２８】
ゴム等の弾性材からなるパッキン材１１は、上、下ケース２，３の合わせ部である導出口２ｂ、３ｂに介在されて、ケース１内を密封している。
また、ケーブル１２の一端側には、電子機器に接続されるコネクタ１３が接続されると共に、ケーブル１２の他端側は、パッキン材１１に保持された状態でケース１内に挿入され、また、ケーブル１２は、シールドカバー１０の孔１０ａを通ってシールドカバー１０内に挿入され、ケーブル１２の芯線１２ａが電気回路に接続されている。
【００２９】
また、このケーブル１２は、同軸型ケーブルで構成され、芯線１２ａが電気回路に半田付けされた箇所、及び、同軸型ケーブルの外部導体１２ｂが孔１０ａの位置でシールドカバー１０に半田付けされた箇所がアンテナ本体部５に対するケーブル１２のケーブル取付部Ｔとなって、本発明のアンテナ装置の第１実施例が形成されている。
【００３０】
そして、図１，図２の状態では、ケーブル取付部Ｔが導出口２ｂ、３ｂと対向した状態にあって、ケーブル取付部Ｔと導出口２ｂ、３ｂとの間にあるケーブル１２は、一直線状となって余裕のない状態となっているため、ケース１とコネクタ１３との間のケーブル１２の長さは、最長の長さとなっている。
【００３１】
また、アンテナ本体部５は、ケース１，即ち、上ケース２に対して取付位置を変更可能となっており、図４は、図１，図２に示す状態からアンテナ本体部５の取付位置を変更したものである。
【００３２】
そして、この図４は、アンテナ本体部５が略９０度回された状態で取り付けられ、ケーブル取付部Ｔが導出口２ｂ、３ｂと非対向状態の位置になると共に、ケーブル１２がシールドカバー１０の外周部にガイドされて配設された状態となっている。
【００３３】
従って、ケーブル１２は、ケーブル取付部Ｔと導出口２ｂ、２ｂの間の長さ分がケース１内に引き込まれるので、ケース１とコネクタ１３との間のケーブル１２の長さは、その分、短くなる。
【００３４】
このようにして、導出口２ｂ、３ｂに対するアンテナ本体部５におけるケーブル取付部Ｔの配設位置を変更することによって、ケース１とコネクタ１３との間のケーブル１２の長さを自由に変えることができるようになっている。
【００３５】
また、図５〜図７は本発明のアンテナ装置の第２実施例を示し、この第２実施例は、第１実施例のネジ１４に代えて、突起部２ｃの先端部に凸部２ｅが設けられ、この凸部２ｅが回路基板６の凹部６ａに嵌合して、回路基板６がケース１に取り付けられるようになっている。
【００３６】
そして、凸部２ｅと凹部６ａの凹凸嵌合の位置を変えることによって、アンテナ本体部５におけるケーブル取付部Ｔの配設位置を変更して、ケース１とコネクタ１３との間のケーブル１２の長さを自由に変えることができるようになっている。
【００３７】
その他の構成は、上記第１実施例と同様であるので、同一部品に同一番号を付し、ここではその説明を省略する。
【００３８】
なお、ここでは図示しないが、下ケース３の収納部３ｂの内壁面が多角形状をなし、この内壁面には、回路基板６の端面、又は／及びシールドカバー１０の側面が当接するようにして、内壁面に対する回路基板６の端面、又は／及びシールドカバー１０の側面の当接位置を変更可能として、アンテナ本体部５におけるケーブル取付部Ｔの配設位置を変更して、ケース１とコネクタ１３との間のケーブル１２の長さを自由に変えるようにしても良い。
【図面の簡単な説明】
【００３９】
【図１】本発明のアンテナ装置の第１実施例に係る要部断面図。
【図２】本発明のアンテナ装置の第１実施例に係り、下ケースを取り去った状態を示す下面図。
【図３】本発明のアンテナ装置の第１実施例に係る上ケースの下面図。
【図４】本発明のアンテナ装置の第１実施例に係り、下ケースを取り去った状態で、且つ、アンテナ本体部の取付位置を変更した状態を示す下面図。
【図５】本発明のアンテナ装置の第２実施例に係る要部断面図。
【図６】本発明のアンテナ装置の第２実施例に係る上ケースの下面図。
【図７】本発明のアンテナ装置の第２実施例に係り、下ケースを取り去った状態で、且つ、アンテナ本体部の取付位置を変更した状態を示す下面図。
【図８】従来のアンテナ装置の要部断面図。
【符号の説明】
【００４０】
１：ケース
２：上ケース
２ａ：収納部
２ｂ：導出口
２ｃ：突起部
２ｄ：孔
２ｅ：凸部
３：下ケース
３ａ：収納部
３ｂ：導出口
４：ネジ
５：アンテナ本体部
６：回路基板
６ａ：凹部
７：誘電体
８：アンテナ素子
９：電子部品
１０：シールドカバー
１０ａ：孔
１１：パッキン材
１２：ケーブル
１２ａ：芯線
１２ｂ：外部導体
１３：コネクタ
１４：ネジ
Ｔ：ケーブル取付部
【図１】
2005175829.tif 000003
【図２】
2005175829.tif 000004
【図３】
2005175829.tif 000005
【図４】
2005175829.tif 000006
【図５】
2005175829.tif 000007
【図６】
2005175829.tif 000008
【図７】
2005175829.tif 000009
【図８】
2005175829.tif 000010